(57)【要約】【課題】放射線測定器に用いられ、複数の電池を着脱可能とした電池ホルダについて、総ての電池が装着されていなくても電力の供給を可能とすることを目的とする。【解決手段】電池保持部（１０−１，１０−２）に電池が装着されていない場合、つるまきバネ１６から負極可動導体１４に付勢力が与えられ、負極可動導体１４は接点導体２０に接触する。これによって、可動負極導体１４と正極導体１２とが接点導体２０および導線２２を介して接続され、バネ固定導体１８と正極導体１２との間が導通する。電池保持部に電池２８が装着されている場合、電池２８の正極が正極導体１２に接触すると共に、電池２８の負極が負極可動導体１４に接触する。電池２８は負極可動導体１４を介してつるまきバネ１６に力を与え、つるまきバネ１６を縮ませる。これによって、負極可動導体１４は接点導体２０から離れ、バネ固定導体１８と正極導体１２との間が遮断される。【選択図】図１
2014179273.tif 000002
【特許請求の範囲】
【請求項１】
放射線測定器に用いられる電池ホルダであって、
それぞれに１つの電池が着脱可能とされ、装着された複数の電池を直列に接続する複数の電池保持部を備え、
前記複数の電池保持部のうち少なくとも１つは、
電池の一端に接触する第１導体と、
電池の他端に接触する第２導体と、
前記第１導体と前記第２導体との間の経路に設けられるスイッチと、
を有し、
前記スイッチは、
電池が装着されているときにオフになり、電池が装着されていないときにオンになる、
ことを特徴とする電池ホルダ。
【請求項２】
請求項１に記載の電池ホルダにおいて、
前記第１導体または前記第２導体は、
電池の装着および取り外しに応じて運動する可動導体を含み、
前記スイッチは、
前記可動導体と、前記電池ホルダに固定された接点導体とによって形成される、
ことを特徴とする電池ホルダ。
【請求項３】
請求項２に記載の電池ホルダにおいて、
前記電池ホルダは、
前記可動導体に付勢力を与え、電池が装着されていないときに前記可動導体を前記接点導体に接触させる付勢部材を有する、
ことを特徴とする電池ホルダ。
【請求項４】
請求項３に記載の電池ホルダにおいて、
前記付勢部材は、
前記可動導体に付勢力を与え、前記電池ホルダに装着された電池に前記可動導体を接触させると共に、前記可動導体を介して電池に付勢力を与えて電池を保持する、
ことを特徴とする電池ホルダ。
【請求項５】
請求項３および請求項４に記載の電池ホルダにおいて、
前記付勢部材は、
導電性の部材であり、
前記可動導体と共に前記第１導体または前記第２導体に含まれている、
ことを特徴とする電池ホルダ。
【発明の詳細な説明】
【技術分野】
【０００１】
本発明は、放射線測定器に用いられる電池ホルダに関し、特に、複数の電池を着脱可能とした電池ホルダに関する。
【背景技術】
【０００２】
アルファ線、ベータ線、ガンマ線、中性子線等の放射線の線量を測定する放射線測定器が広く用いられている。放射線測定器には、放射線の衝突頻度を電気信号に変換し、その電気信号に基づいて放射線の線量を測定するものがある。近年、放射線の被曝量についての関心が高まっており、持ち運び可能な放射線測定器であるサーベイメータの需要が高まっている。
【０００３】
サーベイメータには、電源供給手段として複数の電池を用いるものがある。例えば、特許文献１に記載されているサーベイメータでは、電池ケース部に装着された複数の円筒型単電池から電力が供給される。また、近年のサーべイメータには、測定状態をユーザに容易に把握させるためのライト、アラーム、バイブレータ等のアクセサリ機器を備えるものがある。このようなサーベイメータでは、放射線の測定を行うための測定用電池と、アクセサリ機器に電力を供給するアクセサリ電池とが個別に設けられているものがある。測定用電池には、小型で高電圧を出力することが可能なボタン型またはコイン型のリチウム電池等が用いられることが多い。アクセサリ用電池には、アクセサリ機器に十分な電力を供給するため、複数の円筒型単電池が用いられることが多い。さらに、複数の円筒型単電池が、測定用およびアクセサリ用の両用の電池として用いられるサーベイメータもある。
【０００４】
なお、以下の特許文献２〜４には、複数の電池の接続状態を、並列接続または直列接続に切り換えることを可能としたスイッチ回路が記載されている。これらの特許文献に記載されているスイッチ回路は、複数の電池のいずれかが欠損した場合において回路の接続状態を切り換えるものではない。
【先行技術文献】
【特許文献】
【０００５】
【特許文献１】特開２００１−４７５７号公報
【特許文献２】特開平７−２７３７１５号公報
【特許文献３】特開平１０−２２４９９５号公報
【特許文献４】特開２０１２−１０５５０９号公報
【発明の概要】
【発明が解決しようとする課題】
【０００６】
サーベイメータ等の放射線測定器は、原子力発電所の稼働が停止されたとき等、緊急事態が発生したときに用いられることが想定される。このような緊急事態においては、放射線測定器を動作させるための電池の入手が困難となることが想定される。
【０００７】
本発明は、放射線測定器に用いられ、複数の電池を着脱可能とした電池ホルダについて、総ての電池が装着されていなくても電力の供給を可能とすることを目的とする。
【課題を解決するための手段】
【０００８】
本発明は、放射線測定器に用いられる電池ホルダであって、それぞれに１つの電池が着脱可能とされ、装着された複数の電池を直列に接続する複数の電池保持部を備え、前記複数の電池保持部のうち少なくとも１つは、電池の一端に接触する第１導体と、電池の他端に接触する第２導体と、前記第１導体と前記第２導体との間の経路に設けられるスイッチと、を有し、前記スイッチは、電池が装着されているときにオフになり、電池が装着されていないときにオンになる、ことを特徴とする。
【０００９】
このような構成によれば、複数の電池保持部のうち、第１導体、第２導体およびスイッチを有する電池保持部（以下、スイッチ電池保持部とする。）は、次のように動作する。すなわち、電池が装着されているときは第１導体と第２導体との間が遮断され、スイッチ電池保持部は、第１導体および第２導体からその電池の電圧を出力する。そして、電池が装着されていないときは第１導体と第２導体との間が導通し、スイッチ電池保持部は、第１導体と第２導体とを結ぶ単なる導線として機能する。これによって、スイッチ電池保持部に電池が装着された場合には、スイッチ電池保持部に装着された電池と、その他の電池保持部に装着された電池とが直列接続されて得られる電圧が電池ホルダから出力される。そして、スイッチ電池保持部に電池が装着されていない場合には、その他の電池保持部に装着された電池に応じた電圧が電池ホルダから出力される。したがって、スイッチ電池保持部に電池が装着されていない場合であっても、その他の電池保持部に装着されている電池に基づく電圧が電池ホルダから出力される。
【００１０】
また、本発明に係る電池ホルダは、望ましくは、前記第１導体または前記第２導体は、
電池の装着および取り外しに応じて運動する可動導体を含み、前記スイッチは、前記可動導体と、前記電池ホルダに固定された接点導体とによって形成される。
【００１１】
このような構成によれば、第１導体または第２導体に含まれる可動導体によってスイッチが構成される。そのため、スイッチの構造が簡略化される。
【００１２】
また、本発明に係る電池ホルダは、望ましくは、前記電池ホルダは、前記可動導体に付勢力を与え、電池が装着されていないときに前記可動導体を前記接点導体に接触させる付勢部材を有する。
【００１３】
このような構成によれば、電池が装着されていないときにおいて、スイッチが確実にオンとなる。
【００１４】
また、本発明に係る電池ホルダは、望ましくは、前記付勢部材は、前記可動導体に付勢力を与え、前記電池ホルダに装着された電池に前記可動導体を接触させると共に、前記可動導体を介して電池に付勢力を与えて電池を保持する。
【００１５】
付勢部材は、スイッチ電池保持部に電池が装着されていないときには、可動導体を接点導体に接触させ、スイッチ電池保持部に電池が装着されているときには、電池に可動導体を接触させると共に、可動導体を介して電池に付勢力を与えて電池を保持する機能を有する。したがって、電池が装着されていないときにスイッチを確実にオンにする機能、電池が装着されているときに電池に可動導体を確実に接触させる機能、および、電池を保持する機能が共通の付勢部材によって実現される。
【００１６】
また、本発明に係る電池ホルダは、望ましくは、前記付勢部材は、導電性の部材であり、前記可動導体と共に前記第１導体または前記第２導体に含まれている。
【００１７】
このような構成によれば、第１導体または第２導体は、可動導体および付勢部材としての機能を有し、電池ホルダの構造が簡略化される。
【発明の効果】
【００１８】
本発明によれば、総ての電池が装着されていなくても放射線測定器に電力を供給することができる。
【図面の簡単な説明】
【００１９】
【図１】第１実施形態に係るサーベイメータ用電池ホルダを模式的に示した図である。
【図２】サーベイメータの筐体を示す図である。
【図３】電池が装着されていないときの筐体の断面を示す図である。
【図４】負極可動導体の構造の例を示す図である。
【図５】電池が装着されているときの筐体の断面を示す図である。
【図６】第２実施形態に係るサーベイメータ用電池ホルダを模式的に示した図である。
【図７】サーベイメータの筐体を示す図である。
【図８】電池が装着されていないときの筐体の断面を示す図である。
【図９】電池が装着されているときの筐体の断面を示す図である。
【図１０】第３実施形態に係るサーベイメータ用電池ホルダを模式的に示した図である。
【図１１】サーベイメータの筐体を示す図である。
【図１２】電池が装着されていないときの筐体の断面を示す図である。
【図１３】電池が装着されているときの筐体の断面を示す図である。
【発明を実施するための形態】
【００２０】
図１には、本発明の第１実施形態に係るサーベイメータ用電池ホルダが模式的に示されている。この電池ホルダは、２個の柱状の電池を着脱可能としたものである。着脱可能な電池は、例えば、単１型〜単５型の円筒型単電池である。１個の電池が装着されている場合には、その１個の電池の電圧がプラス出力端子２４およびマイナス出力端子２６から出力される。２個の電池が装着されている場合には、その２個の電池が直列接続されて得られる電圧が、プラス出力端子２４およびマイナス出力端子２６から出力される。
【００２１】
サーベイメータ用電池ホルダは、同一の構造を有する第１電池保持部１０−１および第２電池保持部１０−２を備える。各電池保持部は、正極導体１２、負極可動導体１４、つるまきバネ１６、バネ固定導体１８、接点導体２０、および導線２２を備える。正極導体１２、負極可動導体１４、およびバネ固定導体１８は板状に形成されている。正極導体１２、バネ固定導体１８および接点導体２０は、サーベイメータの筐体に固定されている。
【００２２】
つるまきバネ１６は金属線によって形成され、金属線の一端から他端に向かうにつれて径が大きくなる形状を有する。つるまきバネ１６は、大きい径の側の一端がバネ固定導体１８に固定されている。そして、小さい径の側の他端には、負極可動導体１４が取り付けられている。接点導体２０と正極導体１２との間には導線２２が接続されている。第１電池保持部１０−１の正極導体１２には、プラス出力端子２４が接続され、第２電池保持部１０−２のバネ固定導体１８には、マイナス出力端子２６が接続されている。第１電池保持部１０−１のバネ固定導体１８と、第２電池保持部１０−２の正極導体１２との間には電池間導線２３が接続されている。
【００２３】
各電池保持部においては、正極導体１２を第１導体とし、負極可動導体１４、つるまきバネ１６およびバネ固定導体１８を第２導体とした場合に、これら第１導体と第２導体との間にスイッチが形成される。このスイッチは、負極可動導体１４および接点導体２０によって構成され、電池の着脱に伴う負極可動導体１４の運動によってオフまたはオンとなる。
【００２４】
図１（ａ）に示される第１電池保持部１０−１のように、電池が装着されていない状態では、つるまきバネ１６から負極可動導体１４に付勢力が与えられる。これによって、負極可動導体１４が接点導体２０に接触し、負極可動導体１４と正極導体１２とが接点導体２０および導線２２を介して接続される。したがって、電池が装着されていない場合、バネ固定電極１８は、つるまきバネ１６、負極可動導体１４、接点導体２０、導線２２を介して正極導体１２に接続され、バネ固定導体１８と正極導体１２との間が導通する。
【００２５】
図１（ａ）に示される第２電池保持部１０−２のように、電池２８が装着された状態では、電池２８の正極が正極導体１２に接触すると共に、電池２８の負極が負極可動導体１４に接触する。これによって、電池２８は負極可動導体１４を介してつるまきバネ１６に力を与え、つるまきバネ１６を縮ませる。他方、つるまきバネ１６は、付勢力によって負極可動導体１４を電池２８の負極に接触させる。さらに、つるまきバネ１６は、負極可動導体１４を介して電池２８に付勢力を与え、電池２８を第２電池保持部１０−２に保持する。電池２８が装着されることで、つるまきバネ１６は縮み、負極可動導体１４は接点導体２０から離れる。これによって、負極可動導体１４と正極導体１２との間は遮断される。
【００２６】
このように、図１（ａ）に示される状態では、プラス出力端子２４は第１電池保持部１０−１の正極導体１２、導線２２、接点導体２０、負極可動導体１４、つるまきバネ１６、バネ固定導体１８、電池間導線２３、および、第２電池保持部１０−２の正極導体１２を介して電池２８の正極に接続される。また、マイナス出力端子２６は第２電池保持部１０−２のバネ固定導体１８、つるまきバネ１６、および負極可動導体１４を介して電池２８の負極に接続される。これによって、プラス出力端子２４とマイナス出力端子２６からは、第２電池保持部１０−２に装着された電池２８の電圧が出力される。
【００２７】
図１（ｂ）に示されるように、第１電池保持部１０−１および第２電池保持部１０−２にそれぞれ電池２８−１および電池２８−２が装着されている場合には、プラス出力端子２４は、第１電池保持部１０−１の正極導体１２を介して電池２８−１の正極に接続される。また、電池２８−１の負極は、第１電池保持部１０−１の負極可動導体１４、つるまきバネ１６、バネ固定導体１８、電池間導体２３、および、第２電池保持部１０−２の正極導体１２を介して電池２８−２の正極に接続される。そして、電池２８−２の負極は、第２電池保持部１０−２の負極可動導体１４、つるまきバネ１６、およびバネ固定導体１８を介して、マイナス出力端子２６に接続される。これによって、電池２８−１および電池２８−２は直列接続され、プラス出力端子２４とマイナス出力端子２６からは、電池２８−１および電池２８−２が直列接続されて得られる電圧が出力される。
【００２８】
なお、各電池保持部に電池が装着されていない場合には、各電池保持部における正極導体１２およびバネ固定導体１８が導通する。そのため、プラス出力端子２４およびマイナス出力端子２６からは電圧は出力されない。
【００２９】
第１実施形態に係るサーベイメータ用電池ホルダの構成例について図２〜図４を参照して説明する。図１に示される構成要素と同一の構成要素については同一の符号を付してその説明を簡略化する。図２には、サーベイメータの筐体３０が示されている。筐体３０には、２本の電池を着脱可能とした凹みである電池装着部３２が形成されている。図２には、電池装着部３２の蓋が取り外され、１本の電池２８が装着された状態が示されている。電池装着部３２の右側半分は図１における第１電池保持部１０−１に対応し、左側半分は、図１における第２電池保持部１０−２に対応する。第１電池保持部１０−１におけるバネ固定導体１８と、第２電池保持部１０−２における正極導体１２との間には、筐体３０内に設けられた電池間導線２３が接続されている。各負極可動導体１４は、電池装着部３２の底板に設けられたスリット３４に嵌め込まれ、スリット３４に沿ってスライド自在となっている。
【００３０】
筐体３０内には、昇圧降圧コンバータ回路３６および測定回路３８が収納されている。第１電池保持部１０−１における正極導体１２、および、第２電池保持部１０−２におけるバネ固定導体１８は、昇圧降圧コンバータ回路３６に接続されている。昇圧降圧コンバータ回路３６は、電池装着部３２に装着された電池２８から出力される電圧を所定の電圧に調整し、測定回路３８に出力する。測定回路３８は、昇圧降圧コンバータ回路３６から供給される電力に基づいて放射線の測定を行う他、測定動作に応じてライト、アラーム、バイブレータ等のアクセサリ機器を動作させる。
【００３１】
図３には、ＡＢ線断面図が示されている。電池装着部３２の左側の壁面には、バネ固定導体１８が固定されている。バネ固定導体１８には、つるまきバネ１６における大きい径の側の一端が固定されている。つるまきバネ１６における小さい径の側の他端には、負極可動導体１４が取り付けられている。
【００３２】
図４には、負極可動導体１４の構造の例が示されている。負極可動導体１４は、電池接触板４２、スイッチ板４４、および案内棒４６を備える。電池接触板４２は、電池の負極と接触させる領域である。スイッチ板４４は、電池接触板４２の下方に帯状に突出している。案内棒４６は、スイッチ板４４からその法線方向に伸びている。
【００３３】
図３に戻り、負極可動導体１４について説明する。電池装着部３２の底板４０にはスリット３４が設けられている。底板４０には、スリット３４の右端から右方向に伸びるスライド穴４８が設けられている。負極可動導体１４のスイッチ板４４はスリット３４に差し込まれ、案内棒４６はスライド穴４８に挿入される。これによって、負極可動導体１４は、スリット３４に沿って左右方向にスライド自在となる。
【００３４】
接点導体２０は、筐体３０内面におけるスリット３４の右端付近に固定されている。電池装着部３２の右側の壁面には、正極導体１２が固定されている。正極導体１２は、底板４０を貫通し筐体３０内に至っている。接点導体２０と、正極導体１２との間には、導線２２が接続されている。
【００３５】
図３に示されるように、電池が装着されていない状態では、つるまきバネ１６から負極可動導体１４に付勢力が与えられる。これによって、負極可動導体１４のスイッチ板４４が、接点導体２０に接触し、負極可動導体１４と正極導体１２とが接点導体２０および導線２２を介して接続される。したがって、電池が装着されていない場合、バネ固定電極１８は、つるまきバネ１６、負極可動導体１４、接点導体２０、導線２２を介して正極導体１２に接続され、バネ固定導体１８と正極導体１２との間が導通する。
【００３６】
他方、図５に示されるように、電池２８が装着された状態では、電池２８の正極が正極導体１２に接触すると共に、電池２８の負極が負極可動導体１４の電池接触板４２に接触する。これによって、電池２８は負極可動導体１４を介してつるまきバネ１６に力を与え、つるまきバネ１６を縮ませる。他方、つるまきバネ１６は、付勢力によって負極可動導体１４の電池接触板４２を電池２８の負極に接触させる。さらに、つるまきバネ１６は、負極可動導体１４を介して電池２８に付勢力を与え、電池２８を電池装着部３２に保持する。電池２８が装着されることで、つるまきバネ１６は縮み、負極可動導体１４のスイッチ板４４は接点導体２０から離れる。これによって、負極可動導体１４と正極導体１２との間は遮断される。したがって、電池２８が装着されている場合、正極導体１２とバネ固定導体１８との間には、電池２８の正極と負極との間の電圧が出力される。
【００３７】
このような構成によれば、電池装着部３２に１個の電池が装着されている場合には、その１個の電池の電圧が昇圧降圧コンバータ回路３６に出力される。そして、電池装着部３２に２個の電池が装着されている場合には、その２個の電池が直列接続されて得られる電圧が、昇圧降圧コンバータ回路３６に出力される。昇圧降圧コンバータ回路３６は、電池装着部３２に装着された電池から出力された電圧を所定の電圧に調整し、測定回路３８に出力する。したがって、電池が２本入手できない場合であっても、１本の電池によって、放射線の測定を行うことができる。
【００３８】
なお、ここでは、筐体３０の底板４０がスリット３４およびスライド穴４８を有し、負極可動導体１４が、スイッチ板４４および案内棒４６を有するものとし、負極可動導体１４をスリット３４に沿ってスライド自在とした構造について説明した。負極可動導体１４をスライド自在とする構造としては、負極可動導体１４を筐体３０の底板４０に係合させるその他の構造を採用してもよい。
【００３９】
図６には、本発明の第２実施形態に係るサーベイメータ用電池ホルダが模式的に示されている。このサーベイメータ用電池ホルダは、図１のサーベイメータ用電池ホルダにおける負極可動導体１４およびつるまきバネ１６を、板バネ５０に置き換えたものである。板バネ５０およびバネ固定導体１８は、導体によって一体に形成されている。図１〜図４に示される構成要素と同一の構成要素については同一の符号を付してその説明を簡略化する。
【００４０】
各電池保持部においては、正極導体１２を第１導体とし、板バネ５０およびバネ固定導体１８を第２導体とした場合に、これら第１導体と第２導体との間にスイッチが形成される。このスイッチは、板バネ５０および接点導体２０によって構成され、電池の着脱に伴う板バネ５０の運動によってオフまたはオンとなる。
【００４１】
図６（ａ）に示される第１電池保持部１０−１のように、電池が装着されていない状態では、板バネ５０は、自らの付勢力によって接点導体２０に接触する。これによって、板バネ５０は、接点導体２０および導線２２を介して正極導体１２に接続される。したがって、電池が装着されていない場合、バネ固定導体１８は、板バネ５０、接点導体２０、導線２２を介して正極導体１２に接続され、バネ固定導体１８と正極導体１２との間が導通する。
【００４２】
図６（ａ）に示される第２電池保持部１０−２のように、電池２８が装着された状態では、電池２８の正極が正極導体１２に接触すると共に、電池２８の負極が板バネ５０に接触する。これによって、板バネ５０は接点導体２０から離れる方向にたわみ、接点導体２０から離れ、バネ固定導体１８と正極導体１２との間が遮断される。他方、板バネ５０は、電池２８に付勢力を与え、電池２８を第２電池保持部１０−２に保持する。したがって、電池２８が装着されている場合、正極導体１２とバネ固定導体１８との間には、電池２８の正極と負極との間の電圧が出力される。
【００４３】
このように、図６（ａ）に示される状態では、プラス出力端子２４は第１電池保持部１０−１の正極導体１２、導線２２、接点導体２０、板バネ５０、バネ固定導体１８、電池間導線２３、および、第２電池保持部１０−２の正極導体１２を介して電池２８の正極に接続される。また、マイナス出力端子２６は第２電池保持部１０−２のバネ固定導体１８、および板バネ５０を介して電池２８の負極に接続される。これによって、プラス出力端子２４とマイナス出力端子２６からは、第２電池保持部１０−２に装着された電池２８の電圧が出力される。
【００４４】
図６（ｂ）に示されるように、第１電池保持部１０−１および第２電池保持部１０−２にそれぞれ電池２８−１および電池２８−２が装着されている場合には、プラス出力端子２４は、第１電池保持部１０−１の正極導体１２を介して電池２８−１の正極に接続される。また、電池２８−１の負極は、第１電池保持部１０−１の板バネ５０、バネ固定導体１８、電池間導体２３、および、第２電池保持部１０−２の正極導体１２を介して電池２８−２の正極に接続される。そして、電池２８−２の負極は、第２電池保持部１０−２の板バネ５０およびバネ固定導体１８を介して、マイナス出力端子２６に接続される。これによって、電池２８−１および電池２８−２は直列接続され、プラス出力端子２４とマイナス出力端子２６からは、電池２８−１および電池２８−２が直列接続されて得られる電圧が出力される。
【００４５】
なお、各電池保持部に電池が装着されていない場合には、各電池保持部における正極導体１２およびバネ固定導体１８が導通する。そのため、プラス出力端子２４およびマイナス出力端子２６からは電圧は出力されない。
【００４６】
第２実施形態に係るサーベイメータ用電池ホルダの構成例について図７〜図９を参照して説明する。図１〜図６に示される構成要素と同一の構成要素については同一の符号を付してその説明を簡略化する。
【００４７】
図７には、サーベイメータの筐体３０が示されている。筐体３０には電池装着部３２が形成されている。電池装着部３２の右側半分は図６における第１電池保持部１０−１に対応し、左側半分は、図６における第２電池保持部１０−２に対応する。各電池保持部には、板バネ５０を位置させる板バネ穴５２が形成されている。各板バネ５０は、電池装着部３２から板バネ穴５２を介して筐体３０の内部へ伸びている。
【００４８】
図８には、ＣＤ線断面図が示されている。電池装着部３２の底板４０には、板バネ穴５２が設けられている。板バネ５０の一端は、バネ固定導体１８の上端に固定されている。板バネ５０は、バネ固定導体１８から右方向に伸びた後、下方に折れ、電池の負極と接触するために右方向に突出した接触部５３を形成し、さらに、板バネ穴５２を通って筐体３０内に至る。板バネ５０は、板バネ穴５２において左方向にたわむことが可能である。
【００４９】
接点導体２０は、筐体３０内面における板バネ穴５２の右端付近に固定されている。電池装着部３２の右側の壁面には、正極導体１２が固定されている。正極導体１２は底板４０を貫通している。接点導体２０と、正極導体１２との間には導線２２が接続されている。
【００５０】
図８に示されているように、電池が装着されていない状態では、板バネ５０は、自らの付勢力によって接点導体２０に接触し、接点導体２０および導線２２を介して正極導体１２に接続される。したがって、電池が装着されていない場合、バネ固定電極１８は、板バネ５０、接点導体２０、導線２２を介して正極導体１２に接続され、バネ固定導体１８と正極導体１２との間が導通する。
【００５１】
他方、図９に示されているように、電池２８が装着された状態では、電池２８の正極が正極導体１２に接触すると共に、電池２８の負極が板バネ５０の接触部５３に接触する。これによって、板バネ５０は接点導体２０から離れる方向にたわみ、接点導体２０から離れ、板バネ５０と正極導体１２との間が遮断される。他方、板バネ５０は、電池２８に付勢力を与え、電池２８を電池装着部３２に保持する。
【００５２】
このような構成によれば、第１実施形態に係るサーベイメータ用電池ホルダと同様の動作原理により、電池が２本入手できない場合であっても、１本の電池によって、放射線の測定を行うことができる。
【００５３】
図１０には、本発明の第３実施形態に係るサーベイメータ用電池ホルダが模式的に示されている。このサーベイメータ用電池ホルダは、図１のサーベイメータ用電池ホルダにおけるバネ固定導体１８、つるまきバネ１６および負極可動導体１４を、Ｌ字可動導体５４に置き換えたものである。あるいは、図６のサーベイメータ用電池ホルダにおけるバネ固定導体１８および板バネ５０を、Ｌ字可動導体５４に置き換えたものである。図１〜図９に示される構成要素と同一の構成要素については、同一の符号を付してその説明を簡略化する。
【００５４】
Ｌ字可動導体５４は、負極板５６およびスイッチ切片５８を有する。負極板５６は、図１０の描画面に垂直な方向に伸びるシャフト６０に固定されている。シャフト６０は、図示しない回転バネ機構を有し、負極板５６に左回転方向の付勢力を与える。
【００５５】
各電池保持部においては、正極導体１２を第１導体とし、Ｌ字可動導体５４を第２導体とした場合に、これら第１導体と第２導体との間にスイッチが形成される。このスイッチは、Ｌ字可動導体５４および接点導体２０によって構成され、電池の着脱に伴うＬ字可動導体５４の運動によってオフまたはオンとなる。
【００５６】
図１０（ａ）に示される第１電池保持部１０−１のように、電池が装着されていない状態では、Ｌ字可動導体５４には、シャフト６０から左方向に回転するトルクが与えられる。これによって、Ｌ字可動導体５４のスイッチ切片５８は接点導体２０に接触し、Ｌ字可動導体５４は、接点導体２０および導線２２を介して正極導体１２に接続される。したがって、電池が装着されていない場合、Ｌ字可動導体５４と正極導体１２との間が導通する。
【００５７】
図１０（ａ）に示される第２電池保持部１０−２のように、電池２８が装着された状態では、電池２８の正極が正極導体１２に接触すると共に、電池２８の負極がＬ字可動導体５４の負極板５６に接触する。さらに、電池２８の負極側の一端は、Ｌ字可動導体５４に対し、右回転方向の力を与える。これによって、シャフト６０を軸としてＬ字可動導体５４は右方向に回転し、そのスイッチ切片５８が接点導体２０から離れ、Ｌ字可動導体５４と正極導体１２との間が遮断される。
【００５８】
このように、図１０（ａ）に示される状態では、プラス出力端子２４は第１電池保持部１０−１の正極導体１２、導線２２、接点導体２０、Ｌ字可動導体５４、電池間導線２３、および、第２電池保持部１０−２の正極導体１２を介して電池２８の正極に接続される。また、マイナス出力端子２６は第２電池保持部１０−２のＬ字可動導体５４を介して電池２８の負極に接続される。これによって、プラス出力端子２４とマイナス出力端子２６からは、第２電池保持部１０−２に装着された電池２８の電圧が出力される。
【００５９】
図１０（ｂ）に示されるように、第１電池保持部１０−１および第２電池保持部１０−２にそれぞれ電池２８−１および電池２８−２が装着されている場合には、プラス出力端子２４は、第１電池保持部１０−１の正極導体１２を介して電池２８−１の正極に接続される。また、電池２８−１の負極は、第１電池保持部１０−１のＬ字可動導体５４、電池間導体２３、および、第２電池保持部１０−２の正極導体１２を介して電池２８−２の正極に接続される。そして、電池２８−２の負極は、第２電池保持部１０−２のＬ字可動導体５４を介して、マイナス出力端子２６に接続される。これによって、電池２８−１および電池２８−２は直列接続され、プラス出力端子２４とマイナス出力端子２６からは、電池２８−１および電池２８−２が直列接続されて得られる電圧が出力される。
【００６０】
なお、各電池保持部に電池が装着されていない場合には、各電池保持部における正極導体１２およびＬ字可動導体５４は導通する。そのため、プラス出力端子２４およびマイナス出力端子２６からは電圧は出力されない。
【００６１】
第３実施形態に係るサーベイメータ用電池ホルダの構成例について図１１〜図１３を参照して説明する。前述の各図面に示される構成要素と同一の構成要素に同一の符号を付してその説明を簡略化する。
【００６２】
図１１には、サーベイメータの筐体３０が示されている。筐体３０には電池装着部３２が形成されている。電池装着部３２の右側半分は、図１０における第１電池保持部１０−１に対応し、左側半分は、図１０における第２電池保持部１０−２に対応する。各電池保持部には、Ｌ字可動導体５４を位置させる可動導体穴６２が形成されている。各Ｌ字可動導体５４は、各可動導体穴６２内に位置する。第１電池保持部１０−１における正極導体１２、および、第２電池保持部１０−２におけるＬ字可動導体５４は、筐体３０内に収容された昇圧降圧コンバータ回路３６に接続されている。
【００６３】
図１２には、ＥＦ線断面図が示されている。電池装着部３２の底板４０には、可動導体穴６２が設けられている。Ｌ字可動導体５４の負極板５６はシャフト６０に固定され、シャフト６０は筐体３０に固定されている。これによって、Ｌ字可動導体５４は、可動導体穴６２において揺動自在に保持される。シャフト６０は、図示しない回転バネ機構を有し、Ｌ字可動導体５４に左回転方向の付勢力を与える。
【００６４】
接点導体２０は、筐体３０内面における可動導体穴６２の右側付近に固定されている。電池装着部３２の右側の壁面には正極導体１２が固定されている。正極導体１２における上下方向に伸びる直線区間６３は、電池装着部３２の壁面に固定され、底板４０を貫通して筐体３０内に至る。直線区間６３の上端からは、板バネ区間６５が電池装着部３２の内側下方に伸びている。接点導体２０と、正極導体１２との間には、導線２２が接続されている。
【００６５】
図１２に示されるように、電池が装着されていない状態では、Ｌ字可動導体５４には、シャフト６０から左方向に回転するトルクが与えられる。これによって、Ｌ字可動導体５４のスイッチ切片５８は接点導体２０に接触し、Ｌ字可動導体５４は、接点導体２０および導線２２を介して正極導体１２に接続される。したがって、電池が装着されていない場合、Ｌ字可動導体５４と正極導体１２との間が導通する。
【００６６】
図１３に示されているように、電池２８が装着されている状態では、電池２８の正極が正極導体１２に接触すると共に、電池２８の負極がＬ字可動導体５４の負極板５６に接触する。さらに、電池２８の負極側の一端は、Ｌ字可動導体５４に対し、右回転方向の力を与える。これによって、Ｌ字可動導体５４は右方向に回転し、そのスイッチ切片５８が接点導体２０から離れ、Ｌ字可動導体５４と正極導体１２との間が遮断される。また、電池２８の正極は、正極導体１２の板バネ区間６５をたわませる。板バネ区間６５は、電池２８の正極に付勢力を与え、電池２８を電池装着部３２に保持する。
【００６７】
このような構成によれば、第１実施形態および第２実施形態に係るサーベイメータ用電池ホルダの動作原理と同様、電池が２本入手できない場合であっても、１本の電池によって、放射線の測定を行うことができる。
【００６８】
なお、上述の実施形態においては、２つの電池保持部１０−１および１０−２の両者が、正極側の導体と負極側の導体との間にスイッチを備える構造について説明した。しかし、スイッチを備える構造を一方の電池保持部に採用し、正極側の導体と負極側の導体が導通しない通常の構造を他方の電池保持部に採用してもよい。
【００６９】
また、上述の実施形態においては、２個の電池保持部を直列接続した構成について説明した。本発明は、Ｎを３以上の整数として、Ｎ個の電池保持部を直列接続した構成としてもよい。この場合、Ｎ個の電池保持部のうちの１つまたは複数に電池が装着されていなくても、装着された電池に基づく電圧が出力される。この電圧は、昇圧降圧コンバータ回路で所定の電圧に調整され測定回路に出力される。したがって、緊急事態においてＮ個の電池を入手することが困難であっても、入手できた個数の電池を用いることでサーベイメータを動作させることができる。さらに、Ｎ個の電池保持部のうち一部について、本発明に係る構造を採用し、他の電池保持部については、通常の構造を採用してもよい。
【００７０】
また、サーベイメータは、サーベイメータ用電池ホルダにおける総ての電池保持部に電池が装着されず、サーベイメータに与えられる電圧が所定値より小さい場合に、放射線測定のための最低限の動作を実行するものとしてもよい。
【００７１】
例えば、サーベイメータは、放射線を測定する回路、および測定結果を表示する液晶パネルを放射線測定のために必要な最低限回路として備えるものとする。さらに、サーベイメータ用電池ホルダから出力される電圧を検出する電圧検出回路、および、検出電圧が所定値よりも小さい場合に最低限回路のみに電力を供給し、アクセサリ機器等のその他の機器に電力を供給しない状態にサーベイメータを制御するコントローラを備えるものとする。このコントローラは、検出電圧が所定値以上であるときは、最低限回路およびその他の機器に電力を供給する状態にサーベイメータを制御する。
【００７２】
さらに、サーベイメータは、サーベイメータ用電池ホルダに装着された電池の個数が所定数以下である場合に、放射線測定のための最低限の動作を実行するものとしてもよい。例えば、サーベイメータは、サーベイメータ用電池ホルダに装着された電池の個数を電気磁気的または機械的に検出する個数検出部、および、検出個数が所定数以下である場合には、最低限回路のみに電力を供給し、アクセサリ機器等のその他の機器に電力を供給しない状態にサーベイメータを制御するコントローラを備えるものとする。このコントローラは、検出個数が所定数を超えるときは、最低限回路およびその他の機器に電力を供給する状態にサーベイメータを制御する。
【００７３】
このような構成によれば、サーベイメータ用電池ホルダに総ての電池が装着されていなくても放射線の測定を行うことができる。
【符号の説明】
【００７４】
１０−１，１０−２  電池保持部、１２  正極導体、１４  負極可動導体、１６  つるまきバネ、１８  バネ固定導体、２０  接点導体、２２  導線、２３  電池間導線、２４  プラス出力端子、２６  マイナス出力端子、２８，２８−１，２８−２  電池、３０  筐体、３２  電池装着部、３４  スリット、３６  昇圧降圧コンバータ回路、３８  測定回路、４０  底板、４２  電池接触板、４４  スイッチ板、４６  案内棒、４８  スライド穴、５０  板バネ、５２  板バネ穴、５３  接触部、５４  Ｌ字可動導体、５６  負極板、５８  スイッチ切片、６０  シャフト、６２  可動導体穴、６３  直線区間、６５  板バネ区間。  
【図１】
2014179273.tif 000003
【図２】
2014179273.tif 000004
【図３】
2014179273.tif 000005
【図４】
2014179273.tif 000006
【図５】
2014179273.tif 000007
【図６】
2014179273.tif 000008
【図７】
2014179273.tif 000009
【図８】
2014179273.tif 000010
【図９】
2014179273.tif 000011
【図１０】
2014179273.tif 000012
【図１１】
2014179273.tif 000013
【図１２】
2014179273.tif 000014
【図１３】
2014179273.tif 000015